(57)【特許請求の範囲】
【請求項１】
光ディスクに光を照射すると共に、前記光ディスクからの戻り光を光検出器で検出する光ピックアップと、
前記光ピックアップの記録パワー値を変化させて前記光ディスクのテスト領域にテストデータを書き込んで前記光ピックアップの最適記録パワー値を決定する決定部とを備え、
前記決定部は、
前記光ディスク記録装置に装着されている光ディスクが特定の波長帯のレーザビームが照射されることにより情報の再生または記録がなされる記録層を単層又は２層のみ備える追記型光ディスクである場合、前記光ピックアップの記録パワー値を、前記光ディスク記録装置に装着されている光ディスクのテストデータを書き込む記録層に対応する標準記録パワー値の（１００−Ａ）％以上、前記光ディスク記録装置に装着されている光ディスクのテストデータを書き込む記録層に対応する標準記録パワー値の（１００＋Ｂ）％以下の範囲で変化させ、
前記光ディスク記録装置に装着されている光ディスクが特定の波長帯のレーザビームが照射されることにより情報の再生または記録がなされる記録層を３層以上備える追記型光ディスクである場合、前記光ピックアップの記録パワー値を、前記光ディスク記録装置に装着されている光ディスクのテストデータを書き込む記録層に対応する標準記録パワー値の（１００−Ｃ）％以上、前記光ディスク記録装置に装着されている光ディスクのテストデータを書き込む記録層に対応する標準記録パワー値の（１００＋Ｄ）％以下の範囲で変化させ、
前記Ａ、前記Ｂ、前記Ｃ、前記Ｄをいずれも０より大きく１００より小さい値に設定し、前記Ｄを前記Ｂよりも小さく設定することを特徴とする光ディスク記録装置。
【請求項２】
前記決定部は、
前記光ディスク記録装置に装着されている光ディスクに予め記録されているディスク情報を参考にして、前記光ディスク記録装置に装着されている光ディスクのテストデータを書き込む記録層に対応する標準記録パワー値を設定する請求項１に記載の光ディスク装置。
【請求項３】
前記決定部は、前記Ａと前記Ｂとを同一に設定し、前記Ｃと前記Ｄとを同一に設定する請求項１または請求項２に記載の光ディスク記録装置。
【請求項４】
前記特定の波長帯のレーザビームが照射されることにより情報の再生または記録がなされる記録層を単層又は２層のみ備える追記型光ディスクがＢＤであり、
前記特定の波長帯のレーザビームが照射されることにより情報の再生または記録がなされる記録層を３層以上備える追記型光ディスクが、ＢＤＸＬ規格に準拠したＢＤである請求項１〜３のいずれか１項に記載の光ディスク記録装置。
【発明の詳細な説明】
【技術分野】
【０００１】
本発明は、書き込み可能な光ディスクに情報の記録を行える光ディスク記録装置に関する。
【背景技術】
【０００２】
近年、ＣＤ（Compact Disc）、ＤＶＤ（Digital Versatile Disc）、ＢＤ（Blu-ray Disc：登録商標）等の各種光ディスクが普及している。そして、記録層を３層以上備える光ディスクとしては、現在、２０１０年６月に策定されたＢＤＸＬ規格に準拠したＢＤが存在している。
【０００３】
ＢＤＸＬ規格はＢＤの拡張使用であるため、ＢＤＸＬ規格に準拠したＢＤに対応可能な光ディスク記録装置は、後方互換性を確保した構成、すなわち、記録層を単層又は２層のみ備えるＢＤにも対応可能な構成であることが一般的である。
【０００４】
光ディスク記録装置が光ディスクへ記録を行う場合、記録層の感度、記録層の温度、記録速度などに違いが生じるため、予め定められたレーザーパワーで書き込みを行ったのでは、常に一定の品質でデータ記録を行うことはできない。
【０００５】
そこで、以前より、データ記録の際には、光ディスクの内周部に設けられたテスト領域に記録パワーを変化させながらテストデータを書き込み、そのテスト領域に書き込んだテストデータを再生して再生信号の特性を評価することで、最適なレーザーパワーを決定するＯＰＣ（Optimum Power Control）処理を行って、その後、その最適なレーザーパワーを用いてデータ記録を行うようにしている。
【先行技術文献】
【特許文献】
【０００６】
【特許文献１】特開２０１０−１２９１５５号公報
【特許文献２】特開２００８−１３０１３８号公報
【特許文献３】特開２００９−４３２９７号公報
【特許文献４】特開２００７−３５２３７号公報
【発明の概要】
【発明が解決しようとする課題】
【０００７】
しかしながら、ＢＤＸＬ規格に準拠したＢＤに対応可能であって後方互換性を確保している光ディスク記録装置において、ＢＤＸＬ規格に準拠した記録層を３層又は４層備える追記型ＢＤ（ＢＤ−Ｒ  ＴＬ／ＱＬ）を対象としたＯＰＣ処理に関して、従来のＯＰＣ処理、すなわち、記録層を単層又は２層のみ備える追記型ＢＤ（ＢＤ−Ｒ  ＳＬ／ＤＬ）を対象としたＯＰＣ処理を踏襲しただけでは、ＢＤＸＬ規格に準拠した記録層を３層又は４層備える追記型ＢＤ（ＢＤ−Ｒ  ＴＬ／ＱＬ）を対象としたＯＰＣ処理の際にトラッキングサーボ外れが発生するおそれがあった。
【０００８】
なお、特許文献１では、ＯＰＣのバラツキ及びＩＰＯＷ（Inter Power Over Write）特性を考慮した最適な記録パワーを決定することができる光ディスクドライブが開示されているが、記録層を３層以上備える追記型光ディスクを対象としたＯＰＣ処理の際にトラッキングサーボ外れが発生するという問題に対する解決策は何ら開示も示唆もされていない。
【０００９】
また、特許文献２では、書き換え可能な光ディスクに対し、ＯＰＵ動作を迅速に行うとともに、未記録、記録済の両領域に対する適切な記録パワーを設定することができる光ディスク記録装置が開示されているが、記録層を３層以上備える追記型光ディスクを対象としたＯＰＣ処理の際にトラッキングサーボ外れが発生するという問題に対する解決策は何ら開示も示唆もされていない。
【００１０】
また、特許文献３では、光ディスク媒体への記録パワーを粗い刻みで変化させて振幅情報を取得した後、記録パワーが小さい領域で記録パワーを細かい刻みで変化させて振幅情報を取得することで、ＰＣＡ（Power Calibration Area）領域に記載されたデータの振幅情報から抽出する最適記録パワーのばらつきを低減させることにより、安定した記録を実行することができる光ディスク装置が開示されているが、記録層を３層以上備える追記型光ディスクを対象としたＯＰＣ処理の際にトラッキングサーボ外れが発生するという問題に対する解決策は何ら開示も示唆もされていない。
【００１１】
また、特許文献４では、光ディスク面内の特性にバラつきがある場合でも光ディスクの特性に応じた最適な記録レーザーパワーで記録できるように、光ディスクにデータを記録処理するのに先立ち、光ディスクの内周部位と外周部位とにおいて、ＯＰＣ学習に基づいて最適記録パワーを演算する光ディスク記録制御装置が開示されているが、記録層を３層以上備える追記型光ディスクを対象としたＯＰＣ処理の際にトラッキングサーボ外れが発生するという問題に対する解決策は何ら開示も示唆もされていない。
【００１２】
本発明は、上記の状況に鑑み、記録層を３層以上備える追記型光ディスクを対象としたＯＰＣ処理の際にトラッキングサーボ外れが発生することを抑制することができる光ディスク記録装置を提供することを目的とする。
【課題を解決するための手段】
【００１３】
上記目的を達成するために本発明に係る光ディスク記録装置は、光ディスクに光を照射すると共に、前記光ディスクからの戻り光を光検出器で検出する光ピックアップと、前記光ピックアップの記録パワー値を変化させて前記光ディスクのテスト領域にテストデータを書き込んで前記光ピックアップの最適記録パワー値を決定する決定部とを備え、前記決定部は、前記光ディスク記録装置に装着されている光ディスクが特定の波長帯のレーザビームが照射されることにより情報の再生または記録がなされる記録層を単層又は２層のみ備える追記型光ディスクである場合、前記光ピックアップの記録パワー値を、前記光ディスク記録装置に装着されている光ディスクのテストデータを書き込む記録層に対応する標準記録パワー値の（１００−Ａ）％以上、前記光ディスク記録装置に装着されている光ディスクのテストデータを書き込む記録層に対応する標準記録パワー値の（１００＋Ｂ）％以下の範囲で変化させ、前記光ディスク記録装置に装着されている光ディスクが特定の波長帯のレーザビームが照射されることにより情報の再生または記録がなされる記録層を３層以上備える追記型光ディスクである場合、前記光ピックアップの記録パワー値を、前記光ディスク記録装置に装着されている光ディスクのテストデータを書き込む記録層に対応する標準記録パワー値の（１００−Ｃ）％以上、前記光ディスク記録装置に装着されている光ディスクのテストデータを書き込む記録層に対応する標準記録パワー値の（１００＋Ｄ）％以下の範囲で変化させ、前記Ａ、前記Ｂ、前記Ｃ、前記Ｄをいずれも０より大きく１００より小さい値に設定し、前記Ｄを前記Ｂよりも小さく設定する構成（第１の構成）とする。なお、記録層を単層のみ備える追記型光ディスクと記録層を２層のみ備える追記型光ディスクとで、前記Ａを異なる値に設定してもよく、前記Ｂを異なる値に設定してもよい。また、記録層を３層以上備える追記型光ディスクで、記録層の層数に応じて前記Ｃを異なる値に設定してもよく、記録層の層数に応じて前記Ｄを異なる値に設定してもよい。
【００１４】
このような構成によると、光ディスク記録装置に装着されている光ディスクが記録層を３層以上備える追記型光ディスクである場合、単層又は２層のみ備える追記型光ディスクである場合に比べて、光ピックアップの最適記録パワー値を決定する処理（ＯＰＣ処理）での光ピックアップの記録パワー値の上限に制限がかかる。したがって、光ディスク記録装置に装着されている光ディスクが記録層を３層以上備える追記型光ディスクである場合に、大きな記録パワーでテストデータが書き込まれた箇所でトラック（溝）がつぶれてトラッキングサーボ外れが発生してしまうことを抑制することができる。
【００１５】
また、上記第１の構成の光ディスク記録装置において、前記決定部は、前記光ディスク記録装置に装着されている光ディスクに予め記録されているディスク情報を参考にして、前記光ディスク記録装置に装着されている光ディスクのテストデータを書き込む記録層に対応する標準記録パワー値を設定する構成（第２の構成）にしてもよい。
【００１６】
また、上記第１又は第２の構成の光ディスク記録装置において、前記決定部は、前記Ａと前記Ｂとを同一に設定し、前記Ｃと前記Ｄとを同一に設定する構成（第３の構成）にしてもよい。
【００１７】
また、上記第１〜第３のいずれかの構成の光ディスク記録装置において、前記特定の波長帯のレーザビームが照射されることにより情報の再生または記録がなされる記録層を単層又は２層のみ備える追記型光ディスクがＢＤであり、前記特定の波長帯のレーザビームが照射されることにより情報の再生または記録がなされる記録層を３層以上備える追記型光ディスクが、ＢＤＸＬ規格に準拠したＢＤである構成にしてもよい。
【発明の効果】
【００１８】
本発明に係る光ディスク記録装置によると、光ディスク記録装置に装着されている光ディスクが記録層を３層以上備える追記型光ディスクである場合、単層又は２層のみ備える追記型光ディスクである場合に比べて、光ピックアップの最適記録パワー値を決定する処理（ＯＰＣ処理）での光ピックアップの記録パワー値の上限に制限がかかる。したがって、光ディスク記録装置に装着されている光ディスクが記録層を３層以上備える追記型光ディスクである場合に、大きな記録パワーでテストデータが書き込まれた箇所でトラック（溝）がつぶれてトラッキングサーボ外れが発生してしまうことを抑制することができる。
【図面の簡単な説明】
【００１９】
【図１】本発明に係る光ディスク記録装置の一概略構成例を示す図である。
【図２】図１に示す本発明の一実施形態に係る光ディスク記録装置が行う追記型ＢＤを対象としたＯＰＣ処理を示すフローチャートである。
【発明を実施するための形態】
【００２０】
本発明の実施形態について図面を参照して以下に説明する。本発明の一実施形態に係る光ディスク記録装置の概略構成を図１に示す。
【００２１】
図１に示す本発明の一実施形態に係る光ディスク記録装置は、ＣＤ−Ｒ／ＲＷ、ＤＶＤ−Ｒ／ＲＷ、ＤＶＤ＋Ｒ／ＲＷ、ＤＶＤ−ＲＡＭ及びＢＤ−Ｒ／ＲＥといった書き込み可能な光ディスクＯＤに情報の書き込みを行うことができる装置であって、スピンドルモータ１と、スピンドルモータ駆動部２と、光ピックアップ３と、エンコーダ４と、レーザ駆動部５と、信号処理部６と、サーボ制御部７と、ドライバ８と、入力部９と、記憶部１０と、システムコントローラ１１とを備える。なお、図１に示す本発明の一実施形態に係る光ディスク記録装置は記録機能に加え再生機能も有している。
【００２２】
スピンドルモータ１は、その出力軸がターンテーブル（不図示）に連結される。そして、そのターンテーブルは光ディスクＯＤを着脱可能に保持できるようになっている。これにより、スピンドルモータ１を回転させることで光ディスクＯＤを回転させることが可能となっている。
【００２３】
なお、スピンドルモータ１は、スピンドルモータ駆動部２に接続されている。スピンドルモータ１の駆動制御は、システムコントローラ１１の管理下において、スピンドルモータ駆動部２によって行われる。
【００２４】
光ピックアップ３は、所定の波長のレーザ光を出射する半導体レーザ光源（不図示）と、半導体レーザ光源から出射されたレーザ光を光ディスクＯＤの記録層に集光する対物レンズ（不図示）と、光ディスクＯＤで反射されたレーザ光を受光して光電変換を行う光検出器（不図示）とを備える。また、光ピックアップ３は、移動手段（不図示）によって、光ディスクＯＤの半径方向（図１の左右方向）に対して平行な方向に移動可能となっている。
【００２５】
スピンドルモータ１によって光ディスクＯＤを回転させて、光ピックアップ３の位置を適宜移動させることにより、光ピックアップ３から出射されるレーザ光のスポット位置を、光ディスクＯＤの記録可能領域の全域に移動できる。したがって、光ピックアップ３を用いて、光ディスクＯＤの記録可能領域の全てに情報を記録することが可能となる。
【００２６】
なお、上述のように、図１に示す本発明の一実施形態に係る光ディスク記録装置は、ＣＤ系、ＤＶＤ系、及びＢＤ系のディスクに対応している。このため、半導体レーザ光源は、例えば、波長７８０ｎｍ帯の赤外レーザビーム（ＣＤ用レーザビーム）と、波長６５０ｎｍ帯の赤色レーザビーム（ＤＶＤ用レーザビーム）とを出射できる２波長一体型ＬＤ（Laser Diode）と、４０５ｎｍ帯の青色レーザビーム（ＢＤ用レーザビーム）を出射できるＬＤとによって構成される。
【００２７】
また、光ピックアップ３が備える対物レンズは、対物レンズアクチュエータ（不図示）によって、光軸方向に対して平行な方向（図１の上下方向）であるフォーカス方向と、光ディスクＯＤの半径方向に対して平行な方向（図１の左右方向）であるトラッキング方向とに移動可能となっている。これは、対物レンズの焦点位置が常に光ディスクＯＤの記録層に合うように制御するフォーカス制御と、対物レンズによって集光されたビームスポットの位置が常に光ディスクＯＤに形成されるトラックに追随するように制御するトラッキング制御とを行えるようにするためである。
【００２８】
また、光ピックアップ３を移動させる移動手段は、例えば、固定部分に配置されるスライドモータ（不図示）と、スライドモータの回転によって回転されるピニオン（不図示）と、光ピックアップ３本体に取り付けられるラック（不図示）とによって構成される。このような構成によると、ラックとピニオンの関係を利用して、光ピックアップ３の移動が実現される。
【００２９】
エンコーダ４は、システムコントローラ１１から供給された情報について、所定の方式で符号化処理を行い、その符号化された情報に基づいて記録パルスを作成し、その記録パルスをレーザ駆動部５に出力する。レーザ駆動部５は、エンコーダ４から出力される記録パルスにしたがって、光ピックアップ３の半導体レーザ光源を発振させる。また、レーザ駆動部５は、光ディスクＯＤの種類によって、光ピックアップ３の半導体レーザ光源から出射されるレーザ光の波長を切り替える機能も有する。レーザ駆動部５が半導体レーザ光源に供給する駆動電流を変更することで、光ピックアップ３の記録パワー値の変更が実現される。
【００３０】
信号処理部６は、光ピックアップ３に備えられ複数の領域に分割される光検出器から出力される電気信号を演算処理し、フォーカスエラー信号、トラッキングエラー信号、及びウォブル信号を生成する。これらの信号は、サーボ制御部７に送られる。また、信号処理部６は、光ピックアップ３に備えられる光検出器の各分割領域から出力される電気信号を総加算し、ＲＦ信号を生成してシステムコントローラ１１のＡ／Ｄ変換入力ポート（不図示）に送出する。
【００３１】
サーボ制御部７は、信号処理部６から送られてきたフォーカスエラー信号及びトラッキングエラー信号を用いて、ドライバ８を介してフォーカス制御及びトラッキング制御を行う。また、サーボ制御部７は、ドライバ８を介して、光ディスクＯＤの半径方向に対して平行な方向での光ピックアップ３の移動についても制御する。なお、サーボ制御部７は、ウォブル中にアドレス信号が含まれている場合には、アドレス生成を行う機能も有する。
【００３２】
ドライバ８は、サーボ制御部７からの指令にしたがって、上述の光ピックアップ３を移動させる移動手段と、対物レンズアクチュエータとを駆動させる回路である。
【００３３】
入力部９は、例えば、複数の入力ボタン（不図示）及び／又はリモートコントローラ送信機から送信されるリモートコントロール信号を受信する受信部（不図示）から成り、ユーザーからの指示内容を入力し、その指示内容をシステムコントローラ１１に送出する。
【００３４】
記憶部１０は、各種のプログラムやデータを記憶しており、システムコントローラ１１用の作業メモリや一時記憶メモリとしても機能する。
【００３５】
システムコントローラ１１は、図１に示す本発明の一実施形態に係る光ディスク記録装置を構成する各部が実行すべき所要の動作に応じて適宜制御処理を実行する。
【００３６】
図１に示す本発明の一実施形態に係る光ディスク記録装置は、光ディスクＯＤが挿入されると、スピンドルモータ１によって光ディスクＯＤを少し回転させるとともに光ピックアップ３を駆動させ、光ディスクＯＤからディスク情報（ＤＩ：Disc Information）を読み出す処理である所謂マウント処理を行う。
【００３７】
次に、図１に示す本発明の一実施形態に係る光ディスク記録装置が行う追記型ＢＤを対象としたＯＰＣ処理について、図２に示すフローチャートを参照して説明する。
【００３８】
光ディスクＯＤが追記型ＢＤである場合にシステムコントローラ１１が書き込みコマンドを受け付けると、図１に示す本発明の一実施形態に係る光ディスク記録装置は図２に示すフローチャートの動作を開始する。
【００３９】
まず、ステップＳ１０において、システムコントローラ１１は、光ディスクＯＤ（追記型ＢＤ）の今回テストデータを書き込む記録層に対応する標準記録パワー値を設定する。記憶部１０は、光ディスクの種類毎に基準記録パワー値を予め記憶している。なお、多層光ディスクに関しては、各層共通で一つの基準記録パワー値が定められている場合もあり、層毎に別個の基準記録パワー値が定められている場合もある。システムコントローラ１１は、マウント処理によって既に読み出しているディスク情報を参考にして、光ディスクＯＤ（追記型ＢＤ）の今回テストデータを書き込む記録層に対応する基準記録パワー値を適宜補正して、光ディスクＯＤ（追記型ＢＤ）の今回テストデータを書き込む記録層に対応する標準記録パワー値を設定する。
【００４０】
ステップＳ１０に続くステップＳ２０では、システムコントローラ１１は、マウント処理によって既に読み出しているディスク情報に含まれているディスクの種類に関する情報及び記録層の層数に関する情報に基づいて、光ディスクＯＤ（追記型ＢＤ）が記録層を単層又は２層のみ備える追記型ＢＤ（ＢＤ−Ｒ  ＳＬ／ＤＬ）であるか、それとも、ＢＤＸＬ規格に準拠した記録層を３層又は４層備える追記型ＢＤ（ＢＤ−Ｒ  ＴＬ／ＱＬ）であるかを判定する。実際には、システムコントローラ１１は、マウント処理時にディスクの種類や記録層の層数を把握しているので、ステップＳ２０において一から判定を行うのではなく、ステップＳ２０ではマウント処理時に把握した結果を利用することになる。
【００４１】
光ディスクＯＤ（追記型ＢＤ）が記録層を単層のみ備える追記型ＢＤ（ＢＤ−Ｒ  ＳＬ）或いは記録層を２層のみ備える追記型ＢＤ（ＢＤ−Ｒ  ＤＬ）であれば（ステップＳ２０のＹＥＳ）、システムコントローラ１１は、ドライバ８及びレーザ駆動部５を制御し、光ディスクＯＤ（追記型ＢＤ）のテスト領域の記録済み領域終端からテストデータの追記方向に光スポットをスイープさせるとともに、光ピックアップ３の記録パワー値を、光ディスクＯＤ（追記型ＢＤ）の今回テストデータを書き込む記録層に対応する標準記録パワー値の（１００−２３）％以上、光ディスクＯＤ（追記型ＢＤ）の今回テストデータを書き込む記録層に対応する標準記録パワー値の（１００＋２３）％以下の範囲で変化させて、光ディスクＯＤ（追記型ＢＤ）のテスト領域にテストデータを書き込む（ステップＳ３０）。
【００４２】
一方、光ディスクＯＤ（追記型ＢＤ）が記録層を３層備える追記型ＢＤ（ＢＤ−Ｒ  ＴＬ）或いは記録層を４層備える追記型ＢＤ（ＢＤ−Ｒ  ＱＬ）であれば（ステップＳ２０のＮＯ）、システムコントローラ１１は、ドライバ８及びレーザ駆動部５を制御し、光ディスクＯＤ（追記型ＢＤ）のテスト領域の記録済み領域終端からテストデータの追記方向に光スポットをスイープさせるとともに、光ピックアップ３の記録パワー値を、光ディスクＯＤ（追記型ＢＤ）の今回テストデータを書き込む記録層に対応する標準記録パワー値の（１００−２０）％以上、光ディスクＯＤ（追記型ＢＤ）の今回テストデータを書き込む記録層に対応する標準記録パワー値の（１００＋２０）％以下の範囲で変化させて、光ディスクＯＤ（追記型ＢＤ）のテスト領域にテストデータを書き込む（ステップＳ４０）。
【００４３】
ステップＳ３０又はステップＳ４０の処理が終了すると、システムコントローラ１１は、光ディスクＯＤ（追記型ＢＤ）のテスト領域に書き込んだテストデータを再生させて、その再生信号（信号処理部６から出力されるＲＦ信号）の特性（例えばジッタ特性）を評価し、その評価結果を基に光ピックアップ３の最適記録パワー値を決定し（ステップＳ５０）、追記型ＢＤを対象としたＯＰＣ処理を終了する。
【００４４】
上記のような動作により、光ディスクＯＤがＢＤＸＬ規格に準拠した記録層を３層又は４層備える追記型ＢＤ（ＢＤ−Ｒ  ＴＬ／ＱＬ）である場合、記録層を単層又は２層のみ備える追記型ＢＤ（ＢＤ−Ｒ  ＳＬ／ＤＬ）である場合に比べて、ＯＰＣ処理での光ピックアップ３の記録パワー値の上限に制限がかかる。したがって、光ディスクＯＤがＢＤＸＬ規格に準拠した記録層を３層又は４層備える追記型ＢＤ（ＢＤ−Ｒ  ＴＬ／ＱＬ）である場合に、大きな記録パワーでテストデータが書き込まれた箇所でトラック（溝）がつぶれてトラッキングサーボ外れが発生してしまうことを抑制することができる。
【００４５】
なお、ステップＳ３０で用いた±２３％、ステップＳ４０で用いた±２０％はあくまで例示であり、光ディスク記録装置の仕様等に応じて適切な値を設定すればよい。本実施形態において、ステップＳ４０で±２０％という値を用いた理由は、或る仕様の光ディスク記録装置で、最適記録パワー値の（１００＋２５）〜（１００＋３０）％以上の高い記録パワーでテストデータが書き込まれた箇所でトラック（溝）がつぶれてトラッキングサーボ外れが発生し易くなり、標準記録パワー値と最適記録パワー値とのずれの実績を考慮すると、ステップＳ４０で±２０％という値を用いると、大きな記録パワーでテストデータが書き込まれた箇所でトラック（溝）がつぶれてトラッキングサーボ外れが発生してしまうことを抑制できることが実験的に確認されたためである。また、光ディスクＯＤが記録層を３層以上備える追記型光ディスクである場合に、大きな記録パワーでテストデータが書き込まれた箇所でトラック（溝）がつぶれてトラッキングサーボ外れが発生してしまうことを抑制することが本発明の目的であるため、ＯＰＣ処理での光ピックアップ３の記録パワー値の下限については、図２のフローチャートとは異なる設定にしても構わない。すなわち、ＯＰＣ処理での光ピックアップ３の記録パワー値の下限について、光ディスクＯＤが記録層を単層又は２層のみ備える追記型光ディスクである場合と、光ディスクＯＤが記録層を３層以上備える追記型光ディスクである場合とで同様の設定にしても構わない。また、ＯＰＣ処理での光ピックアップ３の記録パワー値の下限について、光ディスクＯＤが記録層を３層以上備える追記型光ディスクである場合、光ディスクＯＤが記録層を単層又は２層のみ備える追記型光ディスクである場合に比べて、ＯＰＣ処理での光ピックアップ３の記録パワー値の下限に制限がかからないようにしても構わない。
【００４６】
したがって、本発明では、光ディスクＯＤが特定の波長帯のレーザビームが照射されることにより情報の再生または記録がなされる記録層を単層又は２層のみ備える追記型光ディスクである場合、光ピックアップ３の記録パワー値を、光ディスクＯＤのテストデータを書き込む記録層に対応する標準記録パワー値の（１００−Ａ）％以上、光ディスクＯＤのテストデータを書き込む記録層に対応する標準記録パワー値の（１００＋Ｂ）％以下の範囲で変化させ、光ディスクＯＤが特定の波長帯のレーザビームが照射されることにより情報の再生または記録がなされる記録層を３層以上備える追記型光ディスクである場合、光ピックアップ３の記録パワー値を、光ディスクＯＤのテストデータを書き込む記録層に対応する標準記録パワー値の（１００−Ｃ）％以上、光ディスクＯＤのテストデータを書き込む記録層に対応する標準記録パワー値の（１００＋Ｄ）％以下の範囲で変化させ、  前記Ａ、前記Ｂ、前記Ｃ、前記Ｄをいずれも０より大きく１００より小さい値に設定し、前記Ｄを前記Ｂよりも小さく設定するようにする。なお、書換え型光ディスクについても、記録層を３層以上備える書換え型光ディスクである場合、記録層を単層又は２層のみ備える書換え型光ディスクである場合に比べて、ＯＰＣ処理での光ピックアップの記録パワー値の上限に制限がかかるようにしてもよい。この場合、書換え型光ディスクについて、追記型光ディスクで用いた前記Ａ、前記Ｂ、前記Ｃ、及び前記Ｄをそのまま利用しても良く、追記型光ディスクとは異なる値を設定してもよい。
【符号の説明】
【００４７】
１  スピンドルモータ
２  スピンドルモータ駆動部
３  光ピックアップ
４  エンコーダ
５  レーザ駆動部
６  信号処理部
７  サーボ制御部
８  ドライバ
９  入力部
１０  記憶部
１１  システムコントローラ
【図１】
0005273221.tif 000002
【図２】
0005273221.tif 000003